(57)【要約】【課題】レンズ鏡筒組み立て時に複数の枠部材の組み合わせ管理が容易であるレンズ鏡筒を提供すること。【解決手段】このレンズ鏡筒には、１群枠と２群枠、および、３群枠１と４群枠２が組み込まれるが、３群枠１と４群枠２とに装着される３群レンズ３と４群レンズとは、レンズ芯調整装置により芯調整され、その芯調整後の３群枠１と４群枠２とは、レンズ鏡筒に組み込まれるまでの搬送、または、保管時に３群枠１に設けられる係合片部１ｂと４群枠２に設けられる爪２ｃとを係合させた係合状態に保持される。したがって、３群枠１と４群枠２との芯調整組み合わせミスが生じることがなく、しかも、３群枠１と４群枠２ができるだけ接近させた状態で係合しているので占有スペ−スが少なく取り扱いが容易である。【選択図】　　図１
2004013006.tif 000002
【特許請求の範囲】
【請求項１】
第１の枠部材と、
第２の枠部材と、
上記レンズ鏡筒の未完成のときに上記第１の枠部材と上記第２の枠部材とが係合して、上記第１の枠部材と上記第２の枠部材とが光軸方向に離間するのを防止する係合手段と、
有することを特徴とするレンズ鏡筒。
【請求項２】
上記レンズ鏡筒の製品完成後は、上記第１の枠部材と上記第２の枠部材とが相対移動可能であることを特徴とする請求項１記載のレンズ鏡筒。
【請求項３】
上記係合手段は、上記レンズ鏡筒が製品として使用されるときに上記第１の枠部材と上祀第２の枠部材とが相対移動して最大若しくは最小に離間する離間量より短い離間量で上記第１の枠部材と上記第２の枠部材とを係合させることを特徴とする請求項１記載のレンズ鏡筒。
【請求項４】
第１のレンズと、上記第１のレンズを保持するための第１の枠部材と、第２のレンズと、上記第２のレンズを保持する第２の枠部材と、上記第１の枠部材と上記第２の枠部材とを係合する係合手段とを有するレンズ鏡筒において、上記第１のレンズを上記第１の枠部材に組み込む際に上記第２のレンズを上記第２の枠部材に固定し、組み込んだ後に上記第１の枠部材と上記第２の枠部材とを芯調整機器に取り付けて、上記第２のレンズと上記第１のレンズの芯とを合わせるための上記第１のレンズの芯調整を上記芯調整機器にて行い、この芯調整完了後、上記係合手段によって上記第１の枠部材と第２の枠部材とを結合することを特徴とするレンズ鏡筒の組み立て方法。
【請求項５】
第１のレンズと、上記第１のレンズを保持するための第１の枠部材と、第２のレンズと、上記第２のレンズを保持する第２の枠部材と、上記第１の枠部材と上記第２の枠部材とを係合する係合手段とを有するレンズ鏡筒において、上記第１のレンズと上記第２のレンズとの相対芯調整がなされた後、上記係合手段によって上記第１の枠部材と上記第２の枠部材とを係合することを特徴とするレンズ鏡筒組み立て方法。
【発明の詳細な説明】
【０００１】
【発明の属する技術分野】
本発明は、組み立ての利便性が改善されるレンズ鏡筒、および、そのレンズ鏡筒の組み立て方法に関する。
【０００２】
【従来の技術】
従来の複数のレンズ群を有するレンズ鏡筒のレンズ調整方法において、レンズ群間、例えば、複数のレンズ間のスポット調整（レンズ芯調整）を芯調整装置で行った場合、レンズ群間の光学的偏心（レンズ群間芯ずれ）が小さくなることで周辺のボケを抑えることができ、さらに、テレ中心のＭＴＦ性能も向上するなどの大きな効果を奏する。
【０００３】
一方、上記群間のスポット調整を行わない場合は、組み立て治具により芯合わせを行うことになるになる。しかし、この場合、レンズ群を保持する保持枠間の芯出しを行うのみとなり、レンズ群の光学的芯合わせを行わないので、必ずしも光学性能の十分な保証が得られるとは限らない。
【０００４】
【発明が解決しようとする課題】
しかし、上述した従来の芯調整装置を用いたレンズ群間のスポット調整によるレンズ調整方法を適用する場合、それぞれが別の枠部材（保持枠，レンズ群枠）に設けられる一対のレンズ群間での調整が行われた後、レンズ群がそれぞれの保持枠に接着剤により固着されるが、その後の組み立て工程において、上記一対のレンズ群間の組み合わせを変えないように組み立て工程中、管理しなければならない。しかも、上記レンズ群間の組み合わせは目視的に識別が困難であることからその管理作業は面倒である。
【０００５】
本発明は、上述の不具合を解決するためになされたものであり、複数のレンズ群を保持する複数の枠部材の組み合わせ管理が容易であるレンズ鏡筒、および、そのレンズ鏡筒の組み立て方法を提供することを目的とする。
【０００６】
【課題を解決するための手段】
本発明の請求項１記載のレンズ鏡筒は、第１の枠部材と、第２の枠部材と、上記レンズ鏡筒の未完成のときに上記第１の枠部材と上記第２の枠部材とが係合して、上記第１の枠部材と上記第２の枠部材とが光軸方向に離間するのを防止する係合手段と有しており、上記第１の枠部材と上記第２の枠部材とが上記係合手段により互いに係合して、分離するのが防止すされる。
【０００７】
本発明の請求項２のレンズ鏡筒は、請求項１記載のレンズ鏡筒において、上記レンズ鏡筒の製品完成後は、上記第１の枠部材と上記第２の枠部材とが相対移動可能である。
【０００８】
本発明の請求項３記載のレンズ鏡筒は、上記係合手段が上記レンズ鏡筒が製品として使用されるときに上記第１の枠部材と上祀第２の枠部材とが相対移動して最大若しくは最小に離間する離間量より短い離間量で上記第１の枠部材と上記第２の枠部材とを係合させる。
【０００９】
本発明の請求項４記載のレンズ鏡筒の組み立て方法は、第１のレンズと、上記第１のレンズを保持するための第１の枠部材と、第２のレンズと、上記第２のレンズを保持する第２の枠部材と、上記第１の枠部材と上記第２の枠部材とを係合する係合手段とを有するレンズ鏡筒において、上記第１のレンズを上記第１の枠部材に組み込む際に上記第２のレンズを上記第２の枠部材に固定し、組み込んだ後に上記第１の枠部材と上記第２の枠部材とを芯調整機器に取り付けて、上記第２のレンズと上記第１のレンズの芯とを合わせるための上記第１のレンズの芯調整を上記芯調整機器にて行い、この芯調整完了後、上記係合手段によって上記第１の枠部材と第２の枠部材とを結合させる。
【００１０】
本発明の請求項５記載のレンズ鏡筒の組み立て方法は、第１のレンズと、上記第１のレンズを保持するための第１の枠部材と、第２のレンズと、上記第２のレンズを保持する第２の枠部材と、上記第１の枠部材と上記第２の枠部材とを係合する係合手段とを有するレンズ鏡筒において、上記第１のレンズと上記第２のレンズとの相対芯調整がなされた後、上記係合手段によって上記第１の枠部材と上記第２の枠部材とを係合させる。
【００１１】
【発明の実施の形態】
以下、本発明の実施の形態を図に基づいて説明する。
図１は、本発明の第１実施形態のレンズ鏡筒に組み込まれる２つのレンズ群枠の分解斜視図である。図２は、上記２つのレンズ群枠の係合状態での縦断面図である。図３は、上記２つのレンズ群枠のレンズ鏡筒へ組み込み、離間した状態を示す縦断面図である。
【００１２】
本実施形態のレンズ鏡筒は、４群構成のレンズ鏡筒であって、図１に示すようにズーミング時に進退駆動される第１の枠部材である３群枠１と、第２の枠部材である４群枠２と、図示しない１群枠および２群枠等が内蔵される。
【００１３】
上記３群枠１には、枠部下方部にガイド軸穴１ａを有し、枠部上方部に２つのカムフォロア６，７が固着され、枠部後方外周部に突出する係合手段であって、爪係合穴１ｃを持つ係合片部１ｂが設けられる。上記ガイド軸穴１ａには、光軸Ｏと平行なガイド軸１０が嵌入され、接着固定されている。また、上記係合片部１ｂは、薄板で形成され、上下方向に撓み弾性変形可能とする。
【００１４】
上記３群枠１の枠内周部には、第１のレンズである３群レンズ３が嵌入され、接着固着される。
【００１５】
上記４群枠２には、枠部下方部にスリーブ穴２ｂを有し、枠部上下方部にそれぞれカムフォロア８，９が固着され、枠外周前方部に係合手段である爪２ｃが設けられている。上記スリーブ穴２ｂには、スリーブ１１が遊合状態で挿入され、上記ガイド軸１０に嵌入した状態にて位置決めされ、接着固定される。上記爪２ｃは、３群枠１の爪係合穴１ｃに嵌入可能であり、その前方部に３群枠１の爪係合片部１ｂを嵌入時に押し上げるための傾斜面を有している。
【００１６】
また、上記４群枠２の枠内周部には、第２のレンズである４群レンズ４となる４群前方レンズ４ａと４群後方レンズ４ｂが固定される。但し、４群前方レンズ４ａは、位置調整されることなく嵌入され、接着固着されるが、４群後方レンズ４ｂは、レンズ嵌入部２ａに遊嵌状態で挿入され、後述するようにレンズ芯調整装置によるレンズ芯調整で位置決めされ、接着固定される。
【００１７】
さらに、４群後方レンズ４ｂを４群前方レンズ４ａと同様に位置調整することなく嵌入して接着固定し、スリーブ１１と４群枠２との相対位置をレンズ芯調整装置により位置調整により位置出しして接着固定するようにしてもよい。この場合、爪係合穴１ｃと爪２ｃには、調整代分のガタを保有させる。
【００１８】
上記３群枠１と４群枠２とのレンズ芯調整を行う場合、まず、３群レンズ３が固着された３群枠１と、４群前方レンズ４ａが固着された４群枠２とをレーザー式レンズ芯調整装置に取り付ける。なお、３群枠１と４群枠２とはガイド軸１０をスリーブ１１に嵌合させ、枠同士は、相対位置決めされた状態に保持する。そして、４群後方レンズ４ｂを４群枠２のレンズ嵌入部２ａに遊嵌状態で挿入する。
【００１９】
そこで、レーザー光のスポットを観察しながら３群レンズ３と４群レンズ４とのスポットのずれ（偏心）をなくすように４群後方レンズ４ｂの位置をずらして調整する。つまり、第１ンレンズと第２のレンズとの相対位置調整がなされたことになる。その調整状態で４群後方レンズ５をレンズ嵌入部２ａに接着固定する。なお、上記レンズ芯調整は、４群レンズ４側ではなく３群レンズ３側をずらして調整するように構成してもよい。
【００２０】
上記レンズ芯が調整された３群枠１と４群枠２とは、図２に示すように双方の枠前，後部とを突き合わせ、３群枠１の係合片部１ｂの爪係合穴１ｃに４群枠２の爪２ｃを嵌入し、係合状態とする。そのとき、ガイド軸１０もスリーブ１１に嵌入させる。上記係合状態にある３群枠１と４群枠２は、図３に示すレンズ鏡筒組み込み状態（製品完成状態）における離間状態よりも互いに接近して保持され、簡単には外れないようになっている。
【００２１】
なお、レンズ芯調整は、図３に示すレンズ鏡筒組み込み状態における離間距離状態よりも接近した保持状態で行ってもよい。
【００２２】
上記３群枠１と４群枠２は、レンズ鏡筒に組み込まれるまでの搬送、または、保管中、上記係合状態のまま保持される。レンズ鏡筒に組み込むとき、上記係合片部１ｂを上方に持ち上げて爪係合穴１ｃから爪２ｃを外す。レンズ鏡筒に組み込まれ、撮影レンズとしてのレンズ鏡筒使用中の３群枠１と４群枠２との相対離間位置、あるいは、離間量最小のレンズ沈胴位置にあるときの上記３群枠１と４群枠２との相対離間位置は、上記係合状態にあるときよりも離れている。
【００２３】
上述した本実施形態のレンズ鏡筒によれば、３群レンズ３と４群レンズ４とのレンズ芯調整がなされているので周辺のボケが抑えられ、さらに、テレ中心のＭＴＦ性能も向上している。そのレンズ芯調整済み同士の枠の組み合わせ状態が、組み立て工程中、上記係合状態により確実に保たれるので組み合わせミスが生じない。
【００２４】
そして、レンズ鏡筒の組み立て中のレンズ芯調整後、レンズ鏡筒に組み付けるまでの間、３群枠１と４群枠２とは、爪係合穴１ｃに爪２ｃを係合させて光軸Ｏ方向の枠占有スペースをできる限り少なくした状態で一体化して保持される。したがって、組み立て時の搬送や保管中、３群枠１と４群枠２とが邪魔にならず、また、枠部材の組み合わせに注意を払う必要がなく、組み立て中の管理が容易である。
【００２５】
次に、本発明の第２実施形態のレンズ鏡筒について説明する。
図４は、本実施形態のレンズ鏡筒に組み込まれる２つのレンズ群枠の係合状態での斜視図である。図５は、上記２つのレンズ群枠をレンズ鏡筒に組み込んだときの離間状態を示す斜視図である。図６は、上記２つのレンズ群枠の係合状態でレンズ芯調整装置に取り付けた状態を示す縦断面図である。図７は、上記２つのレンズ群枠をレンズ鏡筒に組み込んだ状態を示す縦断面図である。
【００２６】
本実施形態のレンズ鏡筒は、４群構成のレンズ鏡筒であって、撮影光学系として図１に示すように進退駆動可能な第１の枠部材である３群枠２１と、第２の枠部材である４群枠２２と、さらに、図示しない１群枠および２群枠等が内蔵される。
【００２７】
上記３群枠２１には枠部後方端面部に凹状テーパー面２１ｃが形成され、枠部外周部後方に突出する係合手段であって、対向する突起２１ｂを持つ２つの係合片部２１ａが設けられる。上記係合片部２１ａは、左右方向に弾性変形可能とする。また、図示しないが枠部外周部には、進退駆動用のカムフォロアが設けられる。
【００２８】
また、上記３群枠２１の枠内周部には、３群レンズ２３が嵌入され、接着固着される。
【００２９】
上記４群枠２には枠部前方端面部に凸状テーパー面２２ｃと枠部後方端面部に凸状テーパー面２２ｄとが形成され、枠部外周上部に突出する係合手段であるピン２２ａが設けられる。また、図示しないが枠部外周部には、進退駆動用のカムフォロアが設けられる。上記凸状テーパー面２２ｃは、３群枠２１の凹状テーパー面２１ｃに接合可能であり、上記凸状テーパー面２２ｄは、レンズ芯調整装置の枠支持部２５の凹状テーパー面２５ｄに接合可能である。また、上記ピン２２ａは、３群枠２１の係合片部２１ａの突起２１ｂの内側に挟持可能である。なお、上記凹状テーパー面２１ｃ，凸状テーパー面２２ｃ，２２ｄ，凹状テーパー面２５ｄは、それぞれ光軸Ｏを中心にした円錐面に沿って形成されている。
【００３０】
また、上記４群枠２２の枠内周部２２ｂには、４群レンズ２４が遊嵌状態で挿入され、後述するようにレンズ芯調整装置によるレンズ芯調整で位置決めされ、接着固定される。
【００３１】
上記３群枠２１と４群枠２２とのレンズ芯調整を行う場合、まず、３群レンズ２３が固着された３群枠２１と、４群レンズ２４が遊嵌状態で挿入された４群枠２２とをレーザー式レンズ芯調整装置に取り付ける。その取り付け状態では、図６に示すように３群枠２１と４群枠２２とは、凹状テーパー部２１ｃと凸状テーパー部２２ｃを接合させて、相互の枠部を位置決めし、さらに、４群レンズ枠２２の凸状テーパー部２２ｄにレンズ芯調整装置の枠支持部２５の凹状テーパ面２５ｄを接合させて４群レンズ枠２２の枠部をレンズ芯調整装置に対して位置出しする。その接合状態で４群枠２２のピン２２ａは、３群枠２１の係合片部２１ａの突起２１ｂの内側に挟持される。
【００３２】
そこで、レーザー光のスポットを観察しながら３群レンズ２３と４群レンズ２４とのスポットのずれ（偏心）をなくすように４群レンズ２４の位置をずらして調整する。その調整状態で４群レンズ２４をレンズ嵌入部２２ｂに接着固定する。なお、上記レンズ芯調整は、４群レンズ２４側ではなく３群レンズ２３側をずらして調整するように構成してもよい。
【００３３】
上記レンズ芯が調整された３群枠２１と４群枠２２とは、レンズ鏡筒に組み込まれるまでの搬送、または、保管時には、図４に示すようにピン２２ａが係合片部２１ａの突起２１ｂとの内側に係合した状態のままで保持される。上記係合状態にある３群枠２１と４群枠２２は、図５，７に示すレンズ鏡筒組み込み状態（製品完成状態）における離間距離よりも互いに接近して保持され、取り外す操作をしなければ、簡単には外れない。
【００３４】
上記３群枠２１と４群枠２２は、レンズ鏡筒に組み込むとき、上記ピン２２ａと係合片部２１ａの突起２１ｂとの係合を外す。そして、レンズ鏡筒の保持枠２０の内周に嵌入される。
【００３５】
上述した本実施形態のレンズ鏡筒によれば、前記第１の実施形態のレンズ鏡筒の場合と同様に３群レンズ２３と４群レンズ２４とは、レンズ芯調整がなされているので周辺のボケが抑えられ、さらに、テレ中心のＭＴＦ性能も向上する。また、そのレンズ芯調整済み同士の枠の組み合わせ状態が上記係合状態により保たれるので組み合わせミスが生じない。
【００３６】
そして、レンズ鏡筒の組み立て中のレンズ芯調整後、レンズ鏡筒に組み付けるまでの期間、３群枠２１と４群枠２２とは、ピン２２ａと係合片部２１ａの突起２１ｂとの係合させて光軸Ｏ方向の枠占有スペースをできる限り少なくした状態で一体化して保持される。したがって、組み立て時の搬送や保管で３群枠１と４群枠２とが邪魔にならなず、また、枠部材の組み合わせに注意を払う必要がなく、組み立て時の管理が容易である。
【００３７】
【発明の効果】
上述のように本発明によれば、レンズ鏡筒に組み込まれる２つの枠部材を調整後、枠部材の組み合わせに注意を払う必要がなく、組み立て時の管理が容易になる。
【図面の簡単な説明】
【図１】本発明の第１実施形態のレンズ鏡筒に組み込まれる２つのレンズ群枠の分解斜視図である。
【図２】上記図１の２つのレンズ群枠の係合状態での縦断面図である。
【図３】上記図１の２つのレンズ群枠のレンズ鏡筒へ組み込み、離間した状態における縦断面図である。
【図４】本発明の第２実施形態のレンズ鏡筒に組み込まれる２つのレンズ群枠の係合状態での斜視図である。
【図５】上記図４の２つのレンズ群枠をレンズ鏡筒に組み込んだときの離間状態を示す斜視図である。
【図６】上記図４の２つのレンズ群枠の係合状態でレンズ芯調整装置に取り付けた状態を示す縦断面図である。
【図７】上記図４の２つのレンズ群枠をレンズ鏡筒に組み込んだ状態を示す縦断面図である。
【符号の説明】
１，２１
…３群枠（第１の枠部材）
２，２２
…４群枠（第２の枠部材）
１ｂ…係合片部（係合手段）
２ｃ…爪（係合手段）
２１ａ…係合片部（係合手段）
２２ａ…係合ピン（係合手段）
【図１】
2004013006.tif 000003
【図２】
2004013006.tif 000004
【図３】
2004013006.tif 000005
【図４】
2004013006.tif 000006
【図５】
2004013006.tif 000007
【図６】
2004013006.tif 000008
【図７】
2004013006.tif 000009